(57)【特許請求の範囲】
【請求項１】
天井(41)又は壁面(11)に取付けられる上方端部支持バー(13)と、この支持バー(13)の両端に対向して配置された一対の支持ブラケット(14,14)と、これらの支持ブラケット(14,14)に両端が枢支されて支持バー(13)に沿う巻き取りロッド(16)と、透光部(17b,57b,77b,97b)及び不透光部(17c,57c,77c,97c)が巻き取り方向に交互に連続して形成され一端が前記上方端部支持バー(13)に固定され他端が前記巻き取りロッド(16)に繰り出し可能に巻き取られかつ下端で折り返されて二重に構成されたスクリーン(17,57,77,97)と、前記スクリーン(17,57,77,97)の折り返し部(17a,57a,77a,97a)に常に位置するように前記スクリーン(17,57,77,97)に取付けられ前記スクリーン(17,57,77,97)に張力を付与する錘本体(18)とを備えたロールブラインドにおいて、
前記スクリーン(17,57,77,97)の巻き取り方向の前記透光部(17b,57b,77b,97b)の長さをＬ1とするとき、前記スクリーン(17,57,77,97)の巻き取り方向の前記不透光部(17c,57c,77c,97c)の長さＬ2が１．２Ｌ1〜１．８Ｌ1の範囲内に設定され、
前記錘本体(18)が、前記スクリーン(17,57,77,97)の折り返し部(17a,57a,77a,97a)の内面に接触してこの内面に対して転動可能に挿通された動滑車(23)と、前記動滑車(23)の回転中心に前記動滑車(23)に対して回動可能に挿入されたロア軸(24)と、一端が前記ロア軸(24)の両端に前記動滑車(23)の端面を覆うように取付けられ他端が自重で下方に延びる一対のロアキャップ(26,26)と、前記一対のロアキャップ(26,26)間に渡設され前記スクリーン(17,57,77,97)の折り返し部(17a,57a,77a,97a)を覆うボトムカバー(27)とを有し、
前記ロアキャップ(26)の一端側の幅をＭとし、前記ロア軸(24)の軸心から前記ロアキャップ(26)の他端までの距離をＬ3とし、更に（Ｌ3−Ｍ／２）をＮとするとき、Ｎが０．５Ｌ1〜１．０Ｌ1の範囲内に設定された
ことを特徴とするロールブラインド。
【請求項２】
透光部(17b,57b,77b,97b)が、光透過率４０〜９５％のメッシュ状生地により形成された請求項１記載のロールブラインド。
【請求項３】
透光部の光透過率が、上方端部支持バーに固定されたスクリーンの一端側の上部から下部に向って次第に低くなるように形成された請求項１記載のロールブラインド。
【請求項４】
透光部(57b)が不透光生地にスクリーン(57)の幅方向に間隔をあけて形成された複数の孔(57f)により構成された請求項１記載のロールブラインド。
【請求項５】
スクリーン(77)の巻き取り方向の一部に透光部(77b)及び不透光部(77c)が交互に配置され、残部が不透光生地により形成された請求項１記載のロールブラインド。
【請求項６】
スクリーン(97)の巻き取り方向に間隔をあけて形成された透光部(97b)に前記スクリーン(97)の幅方向に間隔をあけて不透光部(97c)が形成され、前記スクリーン(97)の巻き取り方向に間隔をあけて形成された不透光部(97c)に前記スクリーン(97)の幅方向に間隔をあけて透光部(97b)が形成され、前記スクリーン(97)全面に前記透光部(97b)及び前記不透光部(97c)による市松模様が形成された請求項１記載のロールブラインド。
【発明の詳細な説明】
【技術分野】
【０００１】
本発明は、透光部と不透光部とが上下方向に交互に連続して形成されかつ下端で折り返されて二重に構成されたスクリーンを有するロールブラインドに関するものである。
【背景技術】
【０００２】
従来、ロールブラインドとして、天井又は壁面に取付けられた上方端部支持バーの両端に対向して一対の支持ブラケットが配置され、これらの支持ブラケットに支持バーに沿う巻き取りロッドの両端が枢支され、透光部及び不透光部が巻き取り方向に交互に連続して形成されたスクリーンの一端が上方端部支持バーに固定され、スクリーンの他端が巻き取りロッドに繰り出し可能に巻き取られ、かつスクリーンがその下端で折り返されて二重に構成された、採光を調整するためのブラインドが知られている（例えば、特許文献１参照。）。このブラインドでは、錘本体がスクリーンの折り返し部に常に位置するようにスクリーンに取付けられ、この錘本体がスクリーンに張力を付与するように構成される。また錘本体が、スクリーンの下方端部に設けられたループ状のロッドと、スクリーンの下に設けられスクリーンに張力を付与するための錘バーと、ロッドと錘バーの両端に設けられロッド及び錘バーを接続するための固定キャップとを備える。固定キャップに接続されるロッドの両端に一対の回転キャップが設けられ、これらの回転キャップによりスクリーンの折り返し部が上下に移動するときロッドがスクリーンのループ内で滑らかに回転できるように構成される。更にスクリーンの両端に垂直案内レールが設けられ、固定キャップが垂直案内レールにそれぞれ固定できるようになっている。
【０００３】
このように構成されたブラインドでは、二重のスクリーンの前側スクリーン及び後側スクリーンを迅速に調整して、透光部と不透光部を整列させるか又はずらすことにより、室内の採光を効果的かつ素早く調整できる。またブラインドの一端のみが巻き取りロッドに巻き取られるか又は巻き取りロッドから繰り出され、他端が支持バーに固定されているので、スクリーンの透光部と不透光部との重なり合いを高い精度で容易に調整できる。更にスクリーンの両側部に垂直案内レールを設けることにより、固定キャップが垂直案内レールに形成された溝に沿って安定的に移動できるので、スクリーンと錘本体が変動することなく垂直に上昇又は下降できるようになっている。
【特許文献１】特開２００６−２９０７２号公報（請求項１、段落番号［００４９］、［００６１］、［００６２］、［００６６］、［００７１］）
【発明の開示】
【発明が解決しようとする課題】
【０００４】
しかし、上記従来の特許文献１に示されたブラインドでは、スクリーンの透光部と不透光部の巻き取り方向の長さが特定されておらず、透光部及び不透光部の上記長さが同一であるとすると、二重スクリーンの前後の透光部と不透光部とを重ねても、不透光部の上縁及び下縁から光が漏れてしまう不具合があった。また、上記従来の特許文献１に示されたブラインドでは、固定キャップが垂直案内レールによりこのレールに沿った動作に規制され、略鉛直方向に延びた状態に保たれているため、錘本体を窓枠の下端上面に接触させたときの二重スクリーンの前後の透光部同士及び不透光部同士のずれ具合は窓枠の高さによって決ってしまい、錘本体を窓枠の下端上面に接触させた状態での採光量を調整できない問題点があった。
【０００５】
本発明の目的は、二重スクリーンの前後の透光部同士が全く重ならないようにずらすことができ、これにより不透光部の上縁及び下縁から光が漏れるのを防止できる、ロールブラインドを提供することにある。本発明の別の目的は、錘本体を窓枠の下端上面に接触させた状態で所望の採光量になるように自由に調整できる、ロールブラインドを提供することにある。
【課題を解決するための手段】
【０００６】
請求項１に係る発明は、図１〜図６に示すように、天井又は壁面１１に取付けられる上方端部支持バー１３と、この支持バー１３の両端に対向して配置された一対の支持ブラケット１４，１４と、これらの支持ブラケット１４，１４に両端が枢支されて支持バー１３に沿う巻き取りロッド１６と、透光部１７ｂ及び不透光部１７ｃが巻き取り方向に交互に連続して形成され一端が上方端部支持バー１３に固定され他端が巻き取りロッド１６に繰り出し可能に巻き取られかつ下端で折り返されて二重に構成されたスクリーン１７と、スクリーン１７の折り返し部１７ａに常に位置するようにスクリーン１７に取付けられスクリーン１７に張力を付与する錘本体１８とを備えたロールブラインドの改良である。その特徴ある構成は、スクリーン１７の巻き取り方向の透光部１７ｂの長さをＬ1とするとき、スクリーン１７の巻き取り方向の不透光部１７ｃの長さＬ2が１．２Ｌ1〜１．８Ｌ1の範囲内に設定され、錘本体１８が、スクリーン１７の折り返し部１７ａの内面に接触してこの内面に対して転動可能に挿通された動滑車２３と、動滑車２３の回転中心に動滑車２３に対して回動可能に挿入されたロア軸２４と、一端がロア軸２４の両端に動滑車２３の端面を覆うように取付けられ他端が自重で下方に延びる一対のロアキャップ２６，２６と、一対のロアキャップ２６，２６間に渡設されスクリーン１７の折り返し部１７ａを覆うボトムカバー２７とを有し、ロアキャップ２６の一端側の幅をＭとし、ロア軸２４の軸心からロアキャップ２６の他端までの距離をＬ3とし、更に（Ｌ3−Ｍ／２）をＮとするとき、Ｎが０．５Ｌ1〜１．０Ｌ1の範囲内に設定されたところにある。この請求項１に記載されたロールブラインドでは、スクリーン１７の巻き取り方向の透光部１７ｂの長さＬ2が不透光部１７ｃの巻き取り方向の長さＬ1の１．２〜１．８倍であるので、二重のスクリーン１７の前後の透光部１７ｂと不透光部１７ｃとを重ねると、即ち二重スクリーン１７の前後の透光部１７ｂ，１７ｂ同士が全く重ならないようにずらすと、透光部１７ｂが不透光部１７ｃ内に完全に納まる。このため、不透光部１７ｃの上縁及び下縁から光が漏れることがないので、完全に遮光できる。
【０００７】
また、錘本体１８が窓枠２５の下端上面に起立して接した状態からスクリーン１７を繰り出すと、スクリーン１７の折り返し部１７ａ内に位置する動滑車２３がこの折り返し部１７ａを転動して、スクリーン１７の折り返し部１７ａが動滑車２３とともに下降するので、錘本体１８がロア軸２４を中心に回動して、錘本体１８が起立した状態から傾斜した状態に移行し更に横臥した状態に変化する。このとき錘本体１８が窓枠２５の下端上面に接したまま錘本体１８が起立した状態から横臥した状態に変化したときのロア軸２４の軸心の移動量Ｎがスクリーン１７の巻き取り方向の透光部１７ｂの長さＬ1の０．５〜１．０倍であるので、錘本体１８が窓枠２５の下端上面に接したまま二重のスクリーン１７の前後の透光部１７ｂ，１７ｂ同士が全く重ならない状態から完全に重なった状態まで変化させることができる。このため、錘本体１８を窓枠２５の下端上面に接触させた状態で所望の採光量になるように自由に調整できる。
【０００８】
請求項２に係る発明は、請求項１に係る発明であって、更に図１〜図３に示すように、透光部１７ｂが、光透過率４０〜９５％のメッシュ状生地により形成されたことを特徴とする。この請求項２に記載されたロールブラインドでは、透光部１７ｂをメッシュ状生地により形成すると、光透過率を４０〜９５％と高くすることができるので、二重のスクリーン１７の前後の透光部１７ｂ，１７ｂ同士が全く重ならない状態から完全に重なった状態まで変化させると、採光量を大きく変化させることができる。
【０００９】
請求項３に係る発明は、請求項１に係る発明であって、更に透光部の光透過率が、上方端部支持バーに固定されたスクリーンの一端側の上部から下部に向って次第に低くなるように形成されたことを特徴とする。この請求項３に記載されたロールブラインドでは、スクリーンの高い位置からの採光量が多くなり、スクリーンの低い位置からの採光量が少なくなるので、室外から差込む光を部屋全体に効率良く照射できるとともに、室内の窓際での作業者への強い光の照射を防止できる。
【００１０】
請求項４に係る発明は、請求項１に係る発明であって、更に図８に示すように、透光部５７ｂが不透光生地にスクリーン５７の幅方向に間隔をあけて形成された複数の孔５７ｆにより構成されたことを特徴とする。この請求項４に記載されたロールブラインドでは、比較的少ない採光量で済む部屋に適しており、二重のスクリーン５７の前後の透光部５７ｂ，５７ｂ同士が完全に重なった状態にすると、複数の孔５７ｆの形状がスクリーン５７の模様として輝いて浮び上がるので、スクリーン５７の見栄えを向上できる。
【００１１】
請求項５に係る発明は、請求項１に係る発明であって、更に図９に示すように、スクリーン７７の巻き取り方向の一部に透光部７７ｂ及び不透光部７７ｃが交互に配置され、残部が不透光生地により形成されたことを特徴とする。この請求項５に記載されたロールブラインドでは、比較的少ない採光量で済む部屋に適しており、二重のスクリーン７７の前後の透光部７７ｂ，７７ｂ同士が完全に重なった状態にすると、スクリーン７７の所定の位置からの採光が可能となるので、室外から透光部７７ｂを通って差込む光により室内を所望の雰囲気を醸し出す最適な明るさにすることができる。
【００１２】
請求項６に係る発明は、請求項１に係る発明であって、更に図１０に示すように、スクリーン９７の巻き取り方向に間隔をあけて形成された透光部９７ｂにスクリーン９７の幅方向に間隔をあけて不透光部９７ｃが形成され、スクリーン９７の巻き取り方向に間隔をあけて形成された不透光部９７ｃにスクリーン９７の幅方向に間隔をあけて透光部９７ｂが形成され、スクリーン９７全面に透光部９７ｂ及び不透光部９７ｃによる市松模様が形成されたことを特徴とする。この請求項６に記載されたロールブラインドでは、二重スクリーン９７の前後の透光部９７ｂ，９７ｂ同士が重ならないようにずらしても、透光部９７ｂの一部が重なってしまい、スクリーン９７により完全に遮光できないけれども、二重スクリーン９７の前後の透光部９７ｂ，９７ｂ同士が完全に重なった状態にすると、室外から透光部９７ｂを通って差込む光により部屋全体をムラの少ない明るさにすることができる。
【発明の効果】
【００１３】
本発明によれば、スクリーンの巻き取り方向の透光部の長さをＬ1とするとき、スクリーンの巻き取り方向の不透光部の長さＬ2を１．２Ｌ1〜１．８Ｌ1の範囲内に設定したので、スクリーンの巻き取り方向の透光部の長さＬ2が不透光部の巻き取り方向の長さＬ1の１．２〜１．８倍となり、二重のスクリーンの前後の透光部同士が全く重ならない状態にずらすと、透光部が不透光部内に完全に納まる。この結果、不透光部の上縁及び下縁から光が漏れることがないので、完全に遮光できる。また錘本体のロアキャップの一端側の幅をＭとし、ロア軸の軸心からロアキャップの他端までの距離をＬ3とし、更に（Ｌ3−Ｍ／２）をＮとするとき、Ｎを０．５Ｌ1〜１．０Ｌ1の範囲内に設定すれば、錘本体が窓枠の下端上面に接したまま錘本体が起立した状態から横臥した状態に変化したときのロア軸の軸心の移動量Ｎがスクリーンの巻き取り方向の透光部の長さＬ1の０．５〜１．０倍であるので、錘本体が窓枠の下端上面に接したまま二重のスクリーンの前後の透光部同士が全く重ならない状態から完全に重なった状態まで変化させることができる。この結果、錘本体を窓枠の下端上面に接触させた状態で所望の採光量になるように自由に調整できる。
【００１４】
また透光部をメッシュ状生地により形成すれば、光透過率を４０〜９５％と高くすることができるので、二重のスクリーンの前後の透光部同士が全く重ならない状態から完全に重なった状態まで変化させると、採光量を大きく変化させることができる。また透光部の光透過率を、上方端部支持バーに固定されたスクリーンの一端側の上部から下部に向って次第に低くなるように形成すれば、スクリーンの高い位置からの採光量が多くなり、スクリーンの低い位置からの採光量が少なくなるので、室外から差込む光を部屋全体に効率良く照射できるとともに、室内の窓際での作業者への強い光の照射を防止できる。また透光部を不透光生地にスクリーンの幅方向に間隔をあけて形成された複数の孔により構成すれば、比較的少ない採光量で済む部屋に適し、二重のスクリーンの前後の透光部同士が完全に重なった状態にすると、複数の孔の形状がスクリーンの模様として輝いて浮び上がるので、スクリーンの見栄えを向上できる。
【００１５】
またスクリーンの巻き取り方向の一部に透光部及び不透光部を交互に配置し、残部を不透光生地により形成すれば、比較的少ない採光量で済む部屋に適し、二重のスクリーンの前後の透光部同士が完全に重なった状態にすると、スクリーンの所定の位置からの採光が可能となるので、室外から透光部を通って差込む光により室内を所望の雰囲気を醸し出す最適な明るさにすることができる。更にスクリーンの巻き取り方向に間隔をあけて形成された透光部にスクリーンの幅方向に間隔をあけて不透光部を形成し、スクリーンの巻き取り方向に間隔をあけて形成された不透光部にスクリーンの幅方向に間隔をあけて透光部を形成し、スクリーン全面に透光部及び不透光部による市松模様を形成すれば、二重スクリーンの前後の透光部同士が重ならないようにずらしても、透光部の一部が重なってしまい、スクリーンにより完全に遮光できないけれども、二重スクリーンの前後の透光部同士が完全に重なった状態にすると、室外から透光部を通って差込む光により部屋全体をムラの少ない明るさにすることができる。
【発明を実施するための最良の形態】
【００１６】
次に本発明を実施するための最良の形態を図面に基づいて説明する。
＜第１の実施の形態＞
図１及び図５に示すように、ロールブラインド１０は、壁面１１に取付ブラケット１２を介して取付けられる上方端部支持バー１３と、その支持バー１３の両端に対向して配置された一対の支持ブラケット１４，１４と、これらの支持ブラケット１４，１４に両端が枢支されて支持バー１３に沿う巻き取りロッド１６と、一端が上方端部支持バー１３に固定され他端が巻き取りロッド１６に繰り出し可能に巻き取られかつ下端で折り返されて二重に構成されたスクリーン１７と、スクリーン１７の折り返し部１７ａに常に位置するようにスクリーン１７に取付けられた錘本体１８とを備える。上方端部支持バー１３は樹脂又は金属の押出成型品であって、その長手方向の両端部のそれぞれに樹脂成型品からなる支持ブラケット１４が嵌着される。その支持バー１３の両端に対向して配置された一対の支持ブラケット１４，１４には、図示しないクラッチ装置を介して巻き取りロッド１６の両端が枢支される。この巻き取りロッド１６は断面円形の筒状部材からなり、その巻き取りロッド１６の一方の端部にはスプロケット（図示せず）が設けられる。そして、そのスプロケットにはそのスプロケットとともに巻き取りロッド１６を回転させる調整コード１９（図６）が掛け回される。なお、取付ブラケット１２はビス２１により壁面１１に取付けられ、スクリーン１７の一端はスクリーン固定部材２２を介して上方端部支持バー１３に固定される。
【００１７】
またスクリーン１７には、透光部１７ｂ及び不透光部１７ｃがスクリーン１７の巻き取り方向に交互に連続して形成される（図１〜図３及び図６）。透光部１７ｂは、光を透過可能なことを意味し、透明及び半透明の双方を含むものであり、生地の組成や編成を粗にすることにより通風も可能とされる。上記透光部１７ｂは光透過率４０〜９５％、好ましくは６０〜９５％のメッシュ状生地により形成される。ここで、透光部１７ｂの光透過率を４０〜９５％の範囲内に限定したのは、４０％未満では所望の採光量が得られず、９５％を超えるとスクリーンの強度が低下してしまうからである。一方、不透光部１７ｃは、光を透過不能なことを意味し、生地にアルミ等から成る金属箔を貼り付けることや、繊維の密度を上げることにより作られる。更に上記スクリーン１７はその下端で折返されて、窓側の第１スクリーン１７ｄと、室内側の第２スクリーン１７ｅとからなる。スクリーン１７の巻き取り方向の透光部１７ｂの長さをＬ1とするとき、スクリーン１７の巻き取り方向の不透光部１７ｃの長さＬ2は１．２Ｌ1〜１．８Ｌ1、好ましくは１．４Ｌ1〜１．６Ｌ1の範囲内に設定される（図１〜図３）。ここで、スクリーン１７の巻き取り方向の不透光部１７ｃの長さＬ2を１．２Ｌ1〜１．８Ｌ1の範囲内に限定したのは、１．２Ｌ1未満では第１及び第２スクリーン１７ｄ，１７ｅの透光部１７ｂ，１７ｂ同士が全く重ならないようにずらしたときに不透光部１７ｃの上縁及び下縁から光が漏れるおそれがあり、１．８Ｌ1を超えると第１及び第２スクリーン１７ｄ，１７ｅの透光部１７ｂ，１７ｂ同士を完全に重ねたときの採光量が少なくなってしまうからである。
【００１８】
一方、錘本体１８は、スクリーン１７の下端の折り返し部１７ａにスクリーン１７に張力を付与するために設けられる（図１〜図５）。この錘本体１８は、図４及び図５に詳しく示すように、スクリーン１７の折り返し部１７ａの内面に接触してこの内面に対して転動可能に挿通された動滑車２３と、動滑車２３の回転中心に動滑車２３に対して回動可能に挿入されたロア軸２４と、一端がロア軸２４の両端に動滑車２３の端面を覆うように取付けられた他端が自重で下方に延びる一対のロアキャップ２６，２６（図４〜図６）と、一対のロアキャップ２６，２６間に渡設されスクリーン１７の折り返し部１７ａを覆うボトムカバー２７とを有する。ロアキャップ２６の一端側の幅をＭとし、ロア軸２４の軸心からロアキャップ２６の他端までの距離をＬ3とし、更に（Ｌ3−Ｍ／２）をＮとするとき、Ｎが０．５Ｌ1〜１．０Ｌ1、好ましくは０．５Ｌ1〜０．７Ｌ1の範囲内に設定される。上記Ｎは、錘本体１８が窓枠２５の下端上面に接したまま錘本体１８が起立した状態から横臥した状態に変化したときのロア軸２４の軸心の移動量である（図１〜図３）。ここで、Ｎを０．５Ｌ1〜１．０Ｌ1の範囲内に設定したのは、０．５Ｌ1未満では錘本体１８が窓枠２５の下端上面に接したまま第１及び第２スクリーン１７ｄ，１７ｅの透光部１７ｂ，１７ｂ同士が全く重ならない状態から完全に重なった状態まで変化させることができず、１．０Ｌ1を超えると必要以上に起立状態の錘本体１８の高さが大きくなってしまうからである。
【００１９】
上記動滑車２３はスクリーン１７の幅と略同一の長さを有する円筒状に形成される（図６）。ロア軸２４はこの実施の形態では２個用いられ、ロア軸２４は大径部２４ａと小径部２４ｂとからなる（図５）。動滑車２３の両端にはロア軸２４の小径部２４ｂがすべり軸受２８を介して回動可能にそれぞれ挿入され、この状態でロア軸２４の大径部２４ａは動滑車２３の端面を覆うように構成される。また一対のロア軸２４，２４には、これらのロア軸２４，２４の回動中心に一致するキャップ取付穴２４ｃが大径部２４ａ側からそれぞれ形成される。ロアキャップ２６の一端のうちロア軸２４に対向する面には、ロア軸２４のキャップ取付穴２４ｃに挿入可能なピン２６ａが突設され、ロアキャップ２６の長手方向の中央には皿座ぐりを施した通孔２６ｂが形成される。更にボトムカバー２７は、一端がスクリーン１７の折り返し部１７ａを覆う第１カバー２７ａと、第１カバー２７ａの他端を覆う第２カバー２７ｂとを有する（図１〜図５）。第１カバー２７ａにはロアキャップ２６の通孔２６ｂに対向する透孔２７ｃが形成され、皿ビス２９をロアキャップ２６の通孔２６ｂに通して上記透孔２７ｃにねじ込むことにより透孔２７ｃに雌ネジが形成される（図５）。これにより第１カバー２７ａが一対のロアキャップ２６，２６間に渡設される。第１カバー２７ａの他端には略矢印型の凸部２７ｄが第１カバー２７ａの全長にわたって形成され、第２カバー２７ｂには上記凸部２７ａに係止する凹部２７ｅが形成される（図１〜図３）。上記凹部２７ｅを凸部２７ｄに係止することにより第２カバー２７ｂが第１カバー２７ａに取付けられる。なお、図５の符号２７ｆはロアキャップ２６から第１カバー２７ａ内に向って突設され第１カバー２７ａの外形をロアキャップ２６の外形に一致させるための位置決めピンである。
【００２０】
このように構成されたロールブラインド１０では、スクリーン１７の巻き取り方向の透光部１７ｂの長さＬ2が不透光部１７ｃの巻き取り方向の長さＬ1の１．２〜１．８倍であるので、二重のスクリーン１７、即ち第１及び第２スクリーン１７ｄ，１７ｅの透光部１７ｂ，１７ｂ同士が全く重ならない状態になるようにずらすと、透光部１７ｂが不透光部１７ｃ内に完全に納まる。この結果、不透光部１７ｃの上縁及び下縁から光が漏れることがないので、完全に遮光できる。また錘本体１８が窓枠２５の下端上面に起立して接した状態（図１）からスクリーン１７を繰り出すと、スクリーン１７の折り返し部１７ａ内に位置する動滑車２３がこの折り返し部１７ａを転動して、スクリーン１７の折り返し部１７ａが動滑車２３とともに下降するので、錘本体１８がロア軸２４を中心に回動して、錘本体１８が起立した状態から傾斜した状態（図２）に移行し更に横臥した状態（図３）に変化する。このとき錘本体１８が窓枠２５の下端上面に接したまま錘本体１８が起立した状態から横臥した状態に変化したときのロア軸２４の軸心の移動量Ｎがスクリーン１７の巻き取り方向の透光部１７ｂの長さＬ1の０．５〜１．０倍であるので、錘本体１８が窓枠２５の下端上面に接したまま第１及び第２スクリーン１７ｄ，１７ｅの透光部１７ｂ，１７ｂ同士が全く重ならない状態から完全に重なった状態まで変化させることができる。この結果、錘本体１８を窓枠２５の下端上面に接触させた状態で所望の採光量になるように自由に調整できる。
【００２１】
なお、透光部の光透過率が、上方端部支持バーに固定されたスクリーンの一端側の上部から下部に向って次第に低くなるように透光部を形成してもよい。この場合、スクリーンの高い位置からの採光量が多くなり、スクリーンの低い位置からの採光量が少なくなるので、室外から差込む光を部屋全体に効率良く照射できるとともに、室内の窓際での作業者への強い光の照射を防止できる。
【００２２】
＜第２の実施の形態＞
図７は本発明の第２の実施の形態を示す。図７において図１と同一符号は同一部品を示す。この実施の形態では、上方端部支持バー１３が天井４１に取付けられる。上記以外は第１の実施の形態と同一に構成される。このように構成されたロールブラインドでは、窓枠２５の上端が天井４１まで達していて上記支持バー１３を壁面に取付けることができない場合でも、本発明のロールブラインドを窓に設けることができる。上記以外の動作は第１の実施の形態と同様であるので、繰返しの説明を省略する。
【００２３】
＜第３の実施の形態＞
図８は本発明の第３の実施の形態を示す。図８において図６と同一符号は同一部品を示す。この実施の形態では、透光部５７ｂが不透光生地にスクリーン１７の幅方向に間隔をあけて形成された複数の孔５７ｆにより構成される。複数の孔５７ｆは、この実施の形態では、三日月状に形成される。なお、符号５７ａはスクリーンの折り返し部であり、符号５７ｃは不透光部であり、符号５７ｄは窓側の第１スクリーンであり、符号５７ｅは室内側の第２スクリーンである。上記以外は第１の実施の形態と同一に構成される。このように構成されたロールブラインドでは、比較的少ない採光量で済む部屋に適しており、第１及び第２スクリーン５７ｄ，５７ｅの透光部５７ｂ，５７ｂ同士が完全に重なった状態にすると、複数の孔５７ｆの形状、即ち三日月状の孔５７ｆがスクリーン５７の模様として輝いて浮び上がるので、スクリーン５７の見栄えを向上できる。上記以外の動作は第１の実施の形態と同様であるので、繰返しの説明を省略する。なお、複数の孔の形状は三日月状に限らず、星形状、楕円形状、三角形状、ひし形状、その他の形状としてもよい。
【００２４】
＜第４の実施の形態＞
図９は本発明の第４の実施の形態を示す。図９において図６と同一符号は同一部品を示す。この実施の形態では、スクリーン７７の巻き取り方向の一部に透光部７７ｂ及び不透光部７７ｃが交互に配置され、残部が不透光生地により形成される。この実施の形態では、錘本体１８が窓枠の下端上面に接した状態で、第１及び第２スクリーン７７ｄ，７７ｅの上部及び下部において透光部７７ｂ及び不透光部７７ｃが交互に配置され、上下方向の中央に不透光生地により幅広不透光部７７ｆが形成される。なお、符号７７ａはスクリーンの折り返し部である。上記以外は第１の実施の形態と同一に構成される。このように構成されたロールブラインドでは、比較的少ない採光量で済む部屋に適しており、第１及び第２スクリーン７７ｄ，７７ｅの透光部７７ｂ，７７ｂ同士が完全に重なった状態にすると、スクリーン７７の所定の位置からの採光が可能となるので、室外から透光部７７ｂを通って差込む光により室内を所望の雰囲気を醸し出す最適な明るさにすることができる。上記以外の動作は第１の実施の形態と同様であるので、繰返しの説明を省略する。
【００２５】
＜第５の実施の形態＞
図１０は本発明の第５の実施の形態を示す。図１０において図６と同一符号は同一部品を示す。この実施の形態では、スクリーン９７の巻き取り方向に間隔をあけて形成された透光部９７ｂにスクリーン９７の幅方向に間隔をあけて不透光部９７ｃが形成され、スクリーン９７の巻き取り方向に間隔をあけて形成された不透光部９７ｃにスクリーン９７の幅方向に間隔をあけて透光部９７ｂが形成され、スクリーン９７全面に透光部９７ｂ及び不透光部９７ｃによる市松模様が形成される。この場合、大小２種類の透光部９７ｂが形成される。なお、符号９７ａはスクリーンの折り返し部であり、符号９７ｄは窓側の第１スクリーンであり、符号９７ｅは室内側の第２スクリーンである。上記以外は第１の実施の形態と同一に構成される。このように構成されたロールブラインドでは、第１及び第２スクリーン９７ｄ，９７ｅの透光部９７ｂ，９７ｂ同士が重ならないようにずらしても、透光部９７ｂ，９７ｂの一部が重なってしまい、スクリーン９７により完全に遮光できないけれども、第１及び第２スクリーン９７ｄ，９７ｅの透光部９７ｂ，９７ｂ同士が完全に重なった状態にすると、室外から透光部９７を通って差込む光により部屋全体をムラの少ない明るさにすることができる。上記以外の動作は第１の実施の形態と同様であるので、繰返しの説明を省略する。
【図面の簡単な説明】
【００２６】
【図１】本発明第１実施形態のロールブラインドの二重スクリーンの透光部同士が重なりかつ不透光部同士が重なるとともに錘本体が起立して窓枠の下端上面に接触した状態を示す図６のＡ−Ａ線断面図である。
【図２】そのロールブラインドを別の窓に取付けたとき、二重スクリーンの透光部同士が重なりかつ不透光部同士が重なるとともに錘本体が約４５度に傾いて窓枠の下端上面に接触した状態を示す図１に対応する断面図である。
【図３】そのロールブラインドを更に別の窓に取付けたとき、二重スクリーンの透光部同士が重なりかつ不透光部同士が重なるとともに錘本体が横臥して窓枠の下端上面に接触した状態を示す図１に対応する断面図である。
【図４】図６のＢ部拡大斜視図である。
【図５】図４のＣ−Ｃ線断面図である。
【図６】そのロールブラインドの斜視図である。
【図７】本発明第２実施形態のロールブラインドを天井に取付けた状態を示す図１に対応する断面図である。
【図８】本発明第３実施形態のロールブラインドの第２スクリーン５７ｅを一部破断して第１スクリーン５７ｄが一部が室内側に現れた状態を示す正面図である。
【図９】本発明第４実施形態のロールブラインドの第２スクリーン７７ｅを一部破断して第１スクリーン７７ｄの一部が室内側に現れた状態を示す正面図である。
【図１０】本発明第５実施形態のロールブラインドの第２スクリーン９７ｅを一部破断して第１スクリーン９７ｄの一部が室内側に現れた状態を示す正面図である。
【符号の説明】
【００２７】
１０  ロールブラインド
１１  壁面
１３  上方端部支持バー
１４  支持ブラケット
１６  巻き取りロッド
１７，５７，７７，９７  スクリーン
１７ａ，５７ａ，７７ａ，９７ａ  折り返し部
１７ｂ，５７ｂ，７７ｂ，９７ｂ  透光部
１７ｃ，５７ｃ，７７ｃ，９７ｃ  不透光部
１８  錘本体
２３  動滑車
２４  ロア軸
２６  ロアキャップ
２７  ボトムカバー
４１  天井
５７ｆ  複数の孔
【図１】
0005165317.tif 000002
【図２】
0005165317.tif 000003
【図３】
0005165317.tif 000004
【図４】
0005165317.tif 000005
【図５】
0005165317.tif 000006
【図６】
0005165317.tif 000007
【図７】
0005165317.tif 000008
【図８】
0005165317.tif 000009
【図９】
0005165317.tif 000010
【図１０】
0005165317.tif 000011